(57)【要約】【課題】  圧縮しなくても良好な電磁波シールド性が得られ、しかも、製造コストを低減することのできる電磁波シールド用ガスケットの提供。【解決手段】  電磁波シールド用ガスケット１は、弾力性のある発泡材により、断面が長方形の柱状に形成された芯材２と、この芯材２の側面周囲に両面テープ３を介して被着されたシート状の導電性被覆材４と、を備えている。両面テープ３は、芯材２の上記長方形断面の長辺に対応する面にそれぞれ貼着され、上記長方形断面の短辺に対応する面には貼着されていない。そして、導電性被覆材４は、一方の両面テープ３の中央部を残して芯材２を外周から取り囲むように被着されている。この電磁波シールド用ガスケット１は、導電性被覆材４の隙間から露出した両面テープ３を介して図示しない導電性筐体等に固定することができる。【選択図】図１
2009032925.tif 000002
【特許請求の範囲】
【請求項１】
弾性材料からなる芯材の外周面に、粘着層を介して導電性被覆材を被着してなる電磁波シールド用ガスケットであって、
上記導電性被覆材が、上記芯材外周面の一部を残して上記芯材の外周面に被着され、
上記導電性被覆材の隙間から露出した上記芯材の外周面にも、上記粘着層が設けられていることを特徴とする電磁波シールド用ガスケット。
【請求項２】
粘着層の外周面に、その粘着層外周面の一部を残して導電性被覆材を被着してなることを特徴とする電磁波シールド用ガスケット。
【発明の詳細な説明】
【技術分野】
【０００１】
本発明は、導体の隙間に挟まれるなどして、その隙間を通過しようとする電磁波をシールドする電磁波シールド用ガスケットに関する。
【背景技術】
【０００２】
従来より、この種の電磁波シールド用ガスケットとして、弾性材料からなる芯材の外周面に、両面粘着テープ（以下、両面テープという）等の粘着層を介して導電性被覆材を被着してなるものが提案されている。また、この種の電磁波シールド用ガスケットでは、上記導電性被覆材の外周面に更に両面テープを被着し、その両面テープによって導電性筐体等に当該電磁波シールド用ガスケットを固定している（例えば、特許文献１参照）。
【特許文献１】特許２８０１１８０号公報
【発明の開示】
【発明が解決しようとする課題】
【０００３】
ところが、上記のように導電性被覆材の表面に設けられた両面テープによって電磁波シールド用ガスケットを固定する場合、その電磁波シールド用ガスケットを圧縮して導電性被覆材を上記導電性筐体等と接触させなければならない。従来の電磁波シールド用ガスケットでは、例えば、１０％程度圧縮しただけでは十分な電磁波シールド性が得られず、２０％程度圧縮して使用しなければならないものもある。また、導電性被覆材の表面に固定用の両面テープを被着する場合、部品点数及び製造工程数が増え、製造コストも高くなってしまう。そこで、本発明は、圧縮しなくても良好な電磁波シールド性が得られ、しかも、製造コストを低減することのできる電磁波シールド用ガスケットを提供することを目的としてなされた。
【課題を解決するための手段】
【０００４】
上記目的を達するためになされた請求項１記載の発明は、弾性材料からなる芯材の外周面に、粘着層を介して導電性被覆材を被着してなる電磁波シールド用ガスケットであって、上記導電性被覆材が、上記芯材外周面の一部を残して上記芯材の外周面に被着され、上記導電性被覆材の隙間から露出した上記芯材の外周面にも、上記粘着層が設けられていることを特徴とする電磁波シールド用ガスケットを要旨としている。
【０００５】
このように構成された本発明では、芯材の外周面に、その外周面の一部を残して導電性被覆材が粘着層を介して被着され、上記導電性被覆材の隙間から露出した上記芯材の外周面（以下、露出面という）にも、上記粘着層が設けられている。このため、露出面に設けられた粘着層を介して、その電磁波シールド用ガスケットを導電性筐体等に固定することができる。ここで、上記粘着材層は導電性被覆材よりも芯材側に設けられているので、このようにして電磁波シールド用ガスケットが導電性筐体等に固定されると、その固定によって導電性被覆材が導電性筐体等に接触する。このため、本発明の電磁波シールド用ガスケットでは、圧縮しなくても良好な電磁波シールド性が得られる。しかも、本発明の電磁波シールド用ガスケットでは、導電性筐体等に固定するための両面テープを別途設ける必要がないので、部品点数及び製造工程数を減らして製造コストを低減することもできる。
【０００６】
また、上記目的を達するためになされた請求項２記載の発明は、粘着層の外周面に、その粘着層外周面の一部を残して導電性被覆材を被着してなることを特徴とする電磁波シールド用ガスケットを要旨としている。
【０００７】
このように構成された本発明でも、導電性被覆材の隙間から露出した粘着層を介して、その電磁波シールド用ガスケットを導電性筐体等に固定することができる。ここで、上記粘着材層は導電性被覆材よりも内側に設けられているので、このようにして電磁波シールド用ガスケットが導電性筐体等に固定されると、その固定によって導電性被覆材が導電性筐体等に接触する。このため、本発明の電磁波シールド用ガスケットでも、圧縮しなくても良好な電磁波シールド性が得られる。しかも、本発明の電磁波シールド用ガスケットでは、導電性筐体等に固定するための両面テープを別途設ける必要がないので、部品点数及び製造工程数を減らして製造コストを低減することもできる。
【０００８】
なお、請求項１記載の発明のように芯材を利用した場合、その電磁波シールド用ガスケットの圧縮性能（低反発，高反発等）をコントロールすることが容易になる。他方、請求項２記載の発明のように芯材を設けない場合、その電磁波シールド用ガスケットを屈曲させるのが容易になり、導電性筐体等の湾曲した面にも容易に固定することができる。
【発明を実施するための最良の形態】
【０００９】
［第１の実施の形態］
次に、本発明の実施の形態を図面と共に説明する。図１は、本発明の第１の実施の形態としての電磁波シールド用ガスケット１の構成を表す断面図である。図１に示すように、電磁波シールド用ガスケット１は、弾力性のある発泡材（例えば、クロロプレンやポリウレタン等をスポンジ状に形成した部材）により、断面が長方形の柱状に形成された芯材２と、この芯材２の側面周囲に粘着層としての両面テープ３を介して被着されたシート状の導電性被覆材４と、を備えている。なお、導電性被覆材４としては、金属箔，ワイヤメッシュ，金属をメッキした布，合成樹脂からなるフィルム材に金属層を積層したものなど、種々のものを適用することができる。
【００１０】
図１に示すように、両面テープ３は、芯材２の上記長方形断面の長辺に対応する面にそれぞれ貼着され、上記長方形断面の短辺に対応する面には貼着されていない。そして、導電性被覆材４は、一方の両面テープ３の中央部を残して芯材２を外周から取り囲むように被着されている。導電性被覆材４の隙間から露出した両面テープ３の表面には、剥離紙５が被着されている。
【００１１】
このように構成された電磁波シールド用ガスケット１は、剥離紙５を剥がして、導電性被覆材４の隙間から露出した両面テープ３を介して、その電磁波シールド用ガスケット１を図示しない導電性筐体等に固定することができる。ここで、両面テープ３は導電性被覆材４よりも芯材２側に設けられているので、このようにして電磁波シールド用ガスケット１が導電性筐体等に固定されると、その固定によって導電性被覆材４が導電性筐体等に接触する。このため、電磁波シールド用ガスケット１では、圧縮しなくても良好な電磁波シールド性が得られる。しかも、電磁波シールド用ガスケット１では、導電性筐体等に固定するための両面テープを別途設ける必要がないので、部品点数及び製造工程数を減らして製造コストを低減することもできる。
【００１２】
また、電磁波シールド用ガスケット１では、導電性被覆材４は、芯材２の上記長方形断面の短辺に対向する部分が芯材２に被着されていない。このため、電磁波シールド用ガスケット１を圧縮した場合も導電性被覆材４は芯材２の内側に折り曲げられることなく、外側に緩やかに湾曲することとなるため、導電性被覆材４が劣化することがない。更に、導電性被覆材４は、周方向両端が互いに固定されていないため、電磁波シールド用ガスケット１の圧縮時には図１に矢印で示す方向ずれることができ、導電性筐体等に圧縮による負荷が加わるのを抑制することができる。
【００１３】
また、電磁波シールド用ガスケット１では、芯材２を複数の発泡材を積層して構成したり発泡材と両面テープとの積層構造によって構成することなどすることによって、その電磁波シールド用ガスケット１の低反発，高反発といった圧縮性能を用途に応じて調整することができる。更に、両面テープ３として剥がし易いものを使用すれば、使用後に芯材２と導電性被覆材４とを容易に分離することができ、リサイクル性を高めることができる。また更に、導電性被覆材４の隙間から露出する両面テープ３の幅が広くても、前述のように導電性被覆材４を導電性筐体等に良好に接触させることができ、電磁波シールド用ガスケット１の固定強度も確保することができる。
［第２の実施の形態］
図２は、本発明の第２の実施の形態としての電磁波シールド用ガスケット１１の構成を表す断面図である。図２に示すように、電磁波シールド用ガスケット１１は、ゲル状の粘着材を柱状に成形してなる粘着層１３の外周面に、その外周面の一部を残して導電性被覆材１４を被着することによって構成されている。なお、この導電性被覆材１４としても、金属箔，ワイヤメッシュ，金属をメッキした布，合成樹脂からなるフィルム材に金属層を積層したものなど、種々のものを適用することができる。また、導電性被覆材１４の隙間から露出した粘着層１３の表面には、剥離紙１５が被着されている。
【００１４】
このように構成された電磁波シールド用ガスケット１１は、剥離紙１５を剥がして、導電性被覆材１４の隙間から露出した粘着層１３を介して、その電磁波シールド用ガスケット１１を図示しない導電性筐体等に固定することができる。ここで、粘着層１３は導電性被覆材１４よりも内側に設けられているので、このようにして電磁波シールド用ガスケット１１が導電性筐体等に固定されると、その固定によって導電性被覆材１４が導電性筐体等に接触する。このため、電磁波シールド用ガスケット１１では、圧縮しなくても良好な電磁波シールド性が得られる。しかも、電磁波シールド用ガスケット１１では、導電性筐体等に固定するための両面テープを別途設ける必要がないので、部品点数及び製造工程数を減らして製造コストを低減することもできる。
【００１５】
また、電磁波シールド用ガスケット１１は、芯材を有さないので、その電磁波シールド用ガスケット１１を屈曲させるのが容易になり、導電性筐体等の湾曲した面にも容易に固定することができる。更に、導電性被覆材１４は、周方向両端が互いに固定されていないため、電磁波シールド用ガスケット１１の圧縮時には図２に矢印で示す方向ずれることができ、導電性筐体等に圧縮による負荷が加わるのを抑制することができる。
［他の実施の形態］
なお、本発明は上記各実施の形態になんら限定されるものではなく、本発明の要旨を逸脱しない範囲で種々の形態で実施することができる。例えば、本発明は、両面テープの周囲に一部を残して金属箔等の導電性被覆材を被着したものであってもよい。この場合、両面テープの基材が芯材に相当し、その両面テープに塗布された粘着剤が粘着層に相当する。また、この場合、基材を有さないいわゆる基材レスの両面テープを用いてもよく、この場合、上記第２の実施の形態の電磁波シールド用ガスケット１１と同様に屈曲を容易にすることができる。
【００１６】
更に、第１の実施の形態の電磁波シールド用ガスケット１では、芯材２の上記長方形断面の短辺に対向する部分で導電性被覆材４が芯材２に貼着されていないが、導電性被覆材４は芯材２の全周に渡って貼着されてもよい。また、第１の実施の形態の電磁波シールド用ガスケット１では、芯材２の長方形断面の短辺に対応する面が導電性被覆材４に貼着されず長辺に対応する面が貼着される形態となっているが、芯材の断面が縦長となった形状の場合は、短辺に対応する面が貼着され長辺に対応する面が貼着されない形状となってもよい。
【００１７】
また更に、導電性被覆材４の上記隙間を開けて対向する端縁は、直線状にカットされていてもよく、鋸歯状にカットされていてもよい。また、電磁波シールド用ガスケット１において、両面テープ３として制振性を有するものを使用すれば、電磁波シールド用ガスケット１に制振性を付与することができる。
【図面の簡単な説明】
【００１８】
【図１】第１の実施の形態の電磁波シールド用ガスケットの構成を表す断面図である。
【図２】第２の実施の形態の電磁波シールド用ガスケットの構成を表す断面図である。
【符号の説明】
【００１９】
１，１１…電磁波シールド用ガスケット        ２…芯材
３…両面テープ                              ４，１４…導電性被覆材
５，１５…剥離紙                            １３…粘着層
【図１】
2009032925.tif 000003
【図２】
2009032925.tif 000004